(57)【特許請求の範囲】
【請求項１】
ディスク状の基板と、
前記基板上に形成された記録層と、
前記記録層上に形成されたリードイン領域と、
前記リードイン領域よりも前記基板の半径方向外側に位置し前記記録層上に形成されたデータ領域と、
前記リードイン領域内に形成された第１エンボスピット領域と、
前記データ領域内に形成された第１ウォブル領域と、
前記第１ウォブル領域よりも前記基板の半径方向外側に位置し前記データ領域内に形成された第２エンボスピット領域と、
前記第２エンボスピット領域よりも前記基板の半径方向外側に位置し前記データ領域内に形成された第２ウォブル領域とを備え、
前記第１エンボスピット領域にはエンボスピットが形成されており、
前記第１ウォブル領域にはウォブルが形成されており、かつエンボスピットが形成されておらず、
前記第２エンボスピット領域にはエンボスピットが形成されており、かつウォブルが形成されておらず、
前記第２ウォブル領域にはウォブルが形成されており、かつエンボスピットが形成されていないことを特徴とする情報記録媒体。
【請求項２】
前記第１エンボスピット領域と前記第１ウォブル領域とは互いに隣接しており、
前記第１エンボスピット領域の末尾部分には第１ウォブリングエンボスピット領域が形成されており、
前記第１ウォブリングエンボスピット領域にはエンボスピットが形成されており、かつウォブルが形成されていることを特徴とする請求項１に記載の情報記録媒体。
【請求項３】
前記第２エンボスピット領域と前記第２ウォブル領域とは互いに隣接しており、
前記第２エンボスピット領域の末尾部分には第２ウォブリングエンボスピット領域が形成されており、
前記第２ウォブリングエンボスピット領域にはエンボスピットが形成されており、かつ例外的にウォブルが形成されていることを特徴とする請求項１に記載の情報記録媒体。
【請求項４】
前記第２エンボスピット領域と前記第２ウォブル領域とは記録層上において互いに隣接しており、前記第２ウォブル領域の直前に位置する前記第２エンボスピット領域内の部分領域にエンボスピットとして記録された情報は、ＥＣＣブロックの先頭部分を構成する所定の情報であることを特徴とする請求項１に記載の情報記録媒体。
【請求項５】
前記第１ウォブル領域と前記第２エンボスピット領域とは記録層上において互いに隣接しており、前記第２エンボスピット領域の先頭部分にエンボスピットとして記録された情報は、ＥＣＣブロックの先頭部分を構成する所定の情報に続く情報であることを特徴とする請求項１に記載の情報記録媒体。
【請求項６】
前記第１ウォブル領域は、前記リードイン領域の末尾部分から前記データ領域の先頭部分にわたって形成されていることを特徴とする請求項１に記載の情報記録媒体。
【請求項７】
前記第２エンボスピット領域の始端は、前記基板の中心から前記基板の半径方向外側に向けておよそ２４ｍｍ離れた位置よりも前記基板の半径方向内側に位置することを特徴とする請求項１に記載の情報記録媒体。
【請求項８】
前記第２エンボスピット領域の末端は、前記基板の中心から前記基板の半径方向外側に向けておよそ２８ｍｍ離れた位置よりも前記基板の半径方向外側に位置することを特徴とする請求項１に記載の情報記録媒体。
【請求項９】
前記第２エンボスピット領域のうち、前記第２ウォブリングエンボスピット領域を除く領域の末端は、前記基板の中心から前記基板の半径方向外側に向けておよそ２８ｍｍ離れた位置よりも前記基板の半径方向外側に位置することを特徴とする請求項３に記載の情報記録媒体。
【請求項１０】
前記第１エンボスピット領域、前記第１ウォブル領域、前記第２エンボスピット領域および前記第２ウォブル領域は記録層上に連続的に形成されており、
前記第１エンボスピット領域、前記第１ウォブル領域、前記第２エンボスピット領域および前記第２ウォブル領域にそれぞれ形成されたトラックには、前記第１エンボスピット領域の始端から前記第２ウォブル領域の末端にかけて、ＣＬＶ（Constant Linear Velocity）フォーマットに従って、アドレス情報が予め記録されていることを特徴とする請求項１に記載の情報記録媒体。
【請求項１１】
前記第１ウォブリングエンボスピット領域には、ランドプリピットとして認識可能な再生波形を作り出す変形エンボスピットまたは変形エンボスピット列が形成されていることを特徴とする請求項２に記載の情報記録媒体。
【請求項１２】
前記第２ウォブリングエンボスピット領域には、ランドプリピットとして認識可能な再生波形を作り出す変形エンボスピットまたは変形エンボスピット列が形成されていることを特徴とする請求項３に記載の情報記録媒体。
【請求項１３】
前記第２エンボスピット領域と前記第２ウォブル領域との間にはウォブルとエンボスピットが形成された第２ウォブリングエンボスピット領域が形成されていることを特徴とする請求項１に記載の情報記録媒体。
【発明の詳細な説明】
【技術分野】
【０００１】
本発明は、例えば、映画、テレビ番組または音楽などのコンテンツデータを記録するのに適した情報記録媒体に関する。
【背景技術】
【０００２】
ＣＳＳ（Content Scramble System）は、コンテンツデータを暗号化してＤＶＤ−ＲＯＭに記録するときに使用する暗号化方式である。ＣＳＳは、ＤＶＤ−ＲＯＭなどの再生専用型ＤＶＤに採用されており、ＤＶＤ−Ｒ、ＤＶＤ−ＲＷなどの記録可能型ＤＶＤには採用されていない。記録可能型ＤＶＤには、ＣＰＲＭ（Content Protection for Prerecorded Media）という、ＣＳＳとは異なる暗号化方式が採用されている。【０００３】
さて、現在、２タイプのＤＶＤプレーヤが普及している。１つは、ＣＳＳにより暗号化されてＤＶＤに記録されたコンテンツデータは再生できるが、ＣＰＲＭにより暗号化されてＤＶＤに記録されたコンテンツデータは再生することができないタイプのＤＶＤプレーヤである。以下、このタイプのＤＶＤプレーヤを「第１世代ＤＶＤプレーヤ」という。もう一つは、ＣＳＳにより暗号化されてＤＶＤに記録されたコンテンツデータも、ＣＰＲＭにより暗号化されてＤＶＤに記録されたコンテンツデータも再生することができるタイプのＤＶＤプレーヤ（再生機能を備えたＤＶＤレコーダを含む）である。以下、このタイプのＤＶＤプレーヤを「第２世代ＤＶＤプレーヤ」という。
【発明の開示】
【発明が解決しようとする課題】
【０００４】
ところで、記録可能型ＤＶＤやＤＶＤレコーダの普及などにより、ユーザは、ＤＶＤレコーダを用いて、著作権保護のルールに違反しない限度で、映画などのコンテンツのデータ（コンテンツデータ）を記録可能型ＤＶＤに記録することができるようになった。【０００５】
しかし、上述したように、記録可能型ＤＶＤにはＣＰＲＭが採用されている。したがって、コンテンツデータを暗号化して記録可能型ＤＶＤに記録する必要がある場合には、このコンテンツデータはＣＰＲＭにより暗号化されて記録可能型ＤＶＤに記録される。この結果、記録可能型ＤＶＤに暗号化されて記録されたコンテンツデータは、第１世代ＤＶＤプレーヤで再生することができない。【０００６】
このような不都合をなくすために、コンテンツデータをＣＳＳにより暗号化して記録可能型ＤＶＤに記録することが考えられる。こうすれば、記録可能型ＤＶＤに暗号化されて記録されたコンテンツデータを第１世代ＤＶＤプレーヤで再生することが可能になる。【０００７】
しかし、コンテンツデータをＣＳＳにより暗号化して記録可能型ＤＶＤに記録すると、このコンテンツデータを第２世代ＤＶＤプレーヤで再生することができなくなってしまう。つまり、第２世代ＤＶＤプレーヤは、コンテンツデータがＣＰＲＭ以外の暗号化方式で暗号化されて記録されている記録可能型ＤＶＤを、不正に複製された可能性のあるＤＶＤと推測し、再生を拒否（例えばイジェクト）してしまうように設計されている。【０００８】
このように、ＤＶＤレコーダなどの情報記録装置を用いてＤＶＤに暗号化されて記録されたコンテンツデータなどの情報を、第１世代ＤＶＤプレーヤおよび第２世代ＤＶＤプレーヤの双方で再生することができない。すなわち、ＤＶＤ−ＲＯＭのように、スタンパを用いて基板にエンボスピットを形成することにより情報を記録する記録方式ではなく、ＤＶＤ−ＲやＤＶＤ−ＲＷのように、光ピックアップから照射される光ビームにより情報を記録層に記録する記録方式（つまりＤＶＤレコーダが採用している記録方式）によりＤＶＤに暗号化されて記録された情報を、第１世代ＤＶＤプレーヤおよび第２世代ＤＶＤプレーヤの双方で再生することができない。【０００９】
本発明は上記に例示したような問題点に鑑みなされたものであり、本発明の第１の課題は、光ビームの照射により情報を情報記録媒体に記録する記録方式により暗号化されて記録された情報を、より多くのタイプの情報再生装置で再生することを可能にする情報記録媒体を提供することにある。【００１０】
本発明の第２の課題は、ＣＳＳにより暗号化された情報が、光ビームの照射により情報を情報記録媒体に記録する記録方式により記録された場合であっても、この情報をより多くのタイプの情報再生装置で再生することを可能にする情報記録媒体を提供することにある。【００１１】
本発明の第３の課題は、ＣＳＳにより暗号化された情報が、光ビームの照射により情報をＤＶＤに記録する記録方式により記録された場合であっても、この情報を第１世代ＤＶＤプレーヤおよび第２世代ＤＶＤプレーヤの双方で再生することを可能にする情報記録媒体を提供することにある。【００１２】
本発明の第４の課題は、光ビームの照射により情報を情報記録媒体に記録する記録方式により暗号化されて記録された情報を、より多くのタイプの情報再生装置で再生することを可能にすると共に、記録された情報の複製防止を図ることができる情報記録媒体を提供することにある。
【課題を解決するための手段】
【００１３】
上記課題を解決するために本発明の第１情報記録媒体は、ディスク状の基板と、前記基板上に形成された記録層と、前記記録層上に形成されたリードイン領域と、前記リードイン領域よりも前記基板の半径方向外側に位置し前記記録層上に形成されたデータ領域と、前記リードイン領域内に形成された第１エンボスピット領域と、前記データ領域内に形成された第１ウォブル領域と、前記第１ウォブル領域よりも前記基板の半径方向外側に位置し前記データ領域内に形成された第２エンボスピット領域と、前記第２エンボスピット領域よりも前記基板の半径方向外側に位置し前記データ領域内に形成された第２ウォブル領域とを備え、前記第１エンボスピット領域にはエンボスピットが形成されており、前記第１ウォブル領域にはウォブルが形成されており、かつエンボスピットが形成されておらず、前記第２エンボスピット領域にはエンボスピットが形成されており、かつウォブルが形成されておらず、前記第２ウォブル領域にはウォブルが形成されており、かつエンボスピットが形成されていない。【００１４】
上記課題を解決するために本発明の第２情報記録媒体は、ディスク状の基板と、前記基板上に形成された記録層と、前記記録層上に形成されたリードイン領域と、前記リードイン領域よりも前記基板の半径方向外側に位置し前記記録層上に形成されたデータ領域と、前記リードイン領域内に形成された第１エンボスピット領域と、前記データ領域内に形成された第１ウォブル領域と、前記第１ウォブル領域よりも前記基板の半径方向外側に位置し前記データ領域内に形成された第２エンボスピット領域と、前記第２エンボスピット領域よりも前記基板の半径方向外側に位置し前記データ領域内に形成された第２ウォブル領域とを備え、前記第１エンボスピット領域にはエンボスピットが形成されており、前記第１ウォブル領域にはウォブルが形成されており、かつエンボスピットが形成されておらず、前記第２エンボスピット領域にはウォブルが形成されており、このウォブルが描く波形の位相に対し１８０度異なる位相を有しかつ振幅が当該ウォブルの振幅に対しておよそ倍となる波形を描くように配列されたエンボスピット列が形成されており、前記第２ウォブル領域にはウォブルが形成されており、かつエンボスピットが形成されていない。【００１５】
本発明のこのような作用及び他の利得は次に説明する実施形態から明らかにされる。
【図面の簡単な説明】
【００１６】
【図１】本発明の実施形態である情報記録媒体の外観、断面および記録領域構造を示す説明図である。
【図２】図１中の情報記録媒体の記録領域構造の詳細およびこの情報記録媒体の記録領域に形成されたエンボスピット列およびウォブルを示す説明図である。
【図３】第１ウォブル領域に形成されたウォブリンググルーブおよびランドプリピットを示す説明図である。
【図４】第１エンボスピット領域のウォブリングエンボスピット領域に形成されたウォブリングエンボスピット列および変形エンボスピット列を示す説明図である。
【図５】第１エンボスピット領域のウォブリングエンボスピット領域に形成されたウォブリングエンボスピット列および変形エンボスピットを示す説明図である。
【図６】情報記録媒体においてストレートエンボスピット領域が形成された部分を拡大して示す斜視図である。
【図７】図６中の矢示Ａ−Ａ方向から見た情報記録媒体１の断面図である。
【図８】第１エンボスピット領域および第２エンボスピット領域のそれぞれにエンボスピットとして記録された情報などを示す説明図である。
【図９】本発明の実施形態である情報記録媒体の機能を示す説明図である。
【図１０】本発明の実施形態である情報記録媒体の変形例を示す説明図である。
【図１１】図１０中のエンボスピットを示す断面図である。
【符号の説明】
【００１７】
１  情報記録媒体
２  基板
３  記録層
１１  リードイン領域
１２  ユーザーデータ領域（データ領域）
２１  第１エンボスピット領域
２１Ａ、２３Ａ  ストレートエンボスピット領域
２１Ｂ、２３Ｂ  ウォブリングエンボスピット領域
２２  第１ウォブル領域
２３  第２エンボスピット領域
２４  第２ウォブル領域
３１、３４  ストレートエンボスピット列
３２、３５  ウォブリングエンボスピット列
３３、３６  ウォブリンググルーブ
４３  変形エンボスピット列
４４  変形エンボスピット
５１  エンボスピット
６１  ＥＣＣブロック
【発明を実施するための最良の形態】
【００１８】
以下、本発明を実施するための最良の形態について実施形態毎に順に図面に基づいて説明する。【００１９】
（情報記録媒体の概要）
図１は本発明の実施形態である情報記録媒体を示している。【００２０】
図１中の情報記録媒体１は、コンテンツデータおよび制御情報などの情報を記録し、これを保持することができる。情報記録媒体１は、情報の追記または書き換えを行うことができない再生専用領域と、情報の追記を行うことができる記録可能領域とを備えている。この点で、情報記録媒体１は、いわゆるハイブリッド型の情報記録媒体である。【００２１】
再生専用領域において、情報はエンボスピットとして記録される。エンボスピットは、情報記録媒体１の製造過程の中で例えばスタンパを用いて形成される。したがって、情報記録媒体１の出荷時において、再生専用領域にはすでに何らかの情報が記録されている。そして、再生専用領域においては、すでに記録されている情報以外の情報を追記することも、すでに記録された情報を消去することも、すでに記録された情報を書き換えることもできない。後述の第１エンボスピット領域２１および第２エンボスピット領域２３が再生専用領域に当たる。【００２２】
一方、記録可能領域においては、情報はマークとして記録することができる。マークは、ＤＶＤレコーダなどの情報記録装置の光ピックアップから光ビームを情報記録媒体１の記録層３に照射することにより形成することができる。情報記録媒体１の出荷時においては、記録可能領域には、通常、このようなマークは何も記録されていない。もっとも、情報記録媒体１の出荷時において、記録可能領域には、ウォブルおよびランドプリピット（ＬＰＰ）が形成されている。後述の第１ウォブル領域２２および第２ウォブル領域２４が記録可能領域に当たる。【００２３】
（情報記録媒体の物理的構造）
図１の中段は、情報記録媒体１の断面を情報記録媒体１の中心部から外周端部にかけて示している。図１の中段に示すように、情報記録媒体１は、ディスク状の基板２と、基板２上に形成された記録層３と、記録層３上に形成されたダミー基板４とを備えている。【００２４】
基板２の材料、形状、半径および厚さは、ＤＶＤの基板の材料、形状、半径および厚さとそれぞれ同じである。【００２５】
記録層３は、再生専用領域および記録可能領域のいずれにおいても、有機色素層により形成されている。有機色素層の具体的な材料、半径および厚さは、再生専用領域および記録可能領域のいずれにおいても、ＤＶＤ−Ｒの色素層の材料、半径および厚さとそれぞれ同じである。【００２６】
ダミー基板４の材料、形状、半径および厚さは、ＤＶＤの基板の材料、形状、半径および厚さとそれぞれ同じである。【００２７】
なお、記録層３とダミー基板４との間には、ＤＶＤ−Ｒと同様に、反射層、保護層および接着層などが形成されているが、図１ではこれらの図示を省略している。【００２８】
また、本実施形態では、情報記録媒体１の記録層３を有機色素層により形成し、記録可能領域において、ＤＶＤ−Ｒのように、情報の追記を行うことができるが情報の書き換えを行うことができない場合を例にあげる。しかし、本発明はこれに限られない。情報記録媒体１の記録層３を相変化層により形成し、記録可能領域において、ＤＶＤ−ＲＷのように、情報の追記も書き換えも行うことができるようにしてもよい。【００２９】
図１中の下段は、情報記録媒体１の記録層３上に形成された記録領域の構造を示している。図１中の下段に示すように、記録層３上には、リードイン領域１１、ユーザーデータ領域１２およびリードアウト領域１３が形成されている。リードイン領域１１は、基板２の半径方向内側に位置する。ユーザーデータ領域１２は、リードイン領域１１よりも基板２の半径方向外側に位置する。リードアウト領域１３は、ユーザーデータ領域１２よりも基板２の半径方向外側に位置する。リードイン領域１１とユーザーデータ領域１２とは互いに隣接しており、ユーザーデータ領域１２とリードアウト領域１３とは互いに隣接している。【００３０】
リードイン領域１１は、情報記録媒体自体に関する情報、情報暗号化に関する情報、および情報記録装置または情報再生装置の制御に関する情報などを記録するための領域である。情報記録媒体自体に関する情報には、情報記録媒体の種類を示す情報（例えばメディアＩＤ）が含まれる。また、情報暗号化に関する情報には、ユーザーデータ領域１２に記録すべきコンテンツデータなどの情報をＣＳＳにより暗号化するのに必要な情報が含まれる。情報記録装置または情報再生装置の制御に関する情報には、例えばＤＶＤレコーダに設けられたディスクドライブの光ピックアップから照射される光ビームの最適パワーを設定するための情報が含まれる。【００３１】
ユーザーデータ領域１２は、ユーザがＤＶＤレコーダなどを用いて、コンテンツデータなどの情報を記録するための領域である。ファイルシステムも、通常、ユーザーデータ領域１２に記録される。【００３２】
リードアウト領域１３は、制御情報ないし管理情報を記録するための領域である。【００３３】
さらに、図１中の下段に示すように、リードイン領域１１内には第１エンボスピット領域２１が形成されている。ユーザーデータ領域１２内には、第１ウォブル領域２２、第２エンボスピット領域２３および第２ウォブル領域２４が形成されている。第１エンボスピット領域２１、第１ウォブル領域２２、第２エンボスピット領域２３および第２ウォブル領域２４は記録層３上において連続的に形成されている。【００３４】
第１ウォブル領域２２は、ユーザーデータ領域１２の先頭部分に位置する。また、第１ウォブル領域２２は、リードイン領域１１とユーザーデータ領域１２との境界位置Ｐ１を跨ぎ、リードイン領域１１側に向けて拡張されており、第１ウォブル領域２２の先頭部分はリードイン領域１１内に形成されている。つまり、第１ウォブル領域２２は、リードイン領域１１の末尾部分からユーザーデータ領域１２の先頭部分にわたって形成されている。第１ウォブル領域２２においてリードイン領域１１内に形成された部分のサイズは、例えば１ＥＣＣ（Error Correcting Code）ブロックのサイズ（３２キロバイト）に等しい。また、リードイン領域１１内において、第１エンボスピット領域２１と第１ウォブル領域２２とは互いに隣接している。【００３５】
第２エンボスピット領域２３は、第１ウォブル領域２２よりも基板２の半径方向外側に位置する。第１ウォブル領域２２と第２エンボスピット領域２３とは互いに隣接している。【００３６】
第２ウォブル領域２４は、第２エンボスピット領域２３よりも基板２の半径方向外側に位置する。第２エンボスピット領域２３と第２ウォブル領域２４とは互いに隣接している。【００３７】
図２中の上段は、情報記録媒体１の記録領域構造を示している。これは図１中の下段に示した記録領域構造と同じである。図２中の中段は、図２中の上段に示した記録領域構造をさらに詳細に示している。【００３８】
図２中の中段に示すように、第１エンボスピット領域２１は、ストレートエンボスピット領域２１Ａとウォブリングエンボスピット領域２１Ｂとを備えている。ウォブリングエンボスピット領域２１Ｂは、第１ウォブル領域２２の直前部分に形成されている。つまり、ウォブリングエンボスピット領域２１Ｂは、第１エンボスピット領域２１の末尾部分に位置し、ウォブリングエンボスピット領域２１Ｂと第１ウォブル領域２２とは互いに隣接している。ウォブリングエンボスピット領域２１Ｂのサイズは、例えば１ＥＣＣブロックのサイズに等しい。第１エンボスピット領域２１内においてウォブリングエンボスピット領域２１Ｂ以外の領域は、ストレートエンボスピット領域２１Ａである。【００３９】
また、図２中の中段に示すように、第２エンボスピット領域２３は、ストレートエンボスピット領域２３Ａとウォブリングエンボスピット領域２３Ｂとを備えている。ウォブリングエンボスピット領域２３Ｂは、第２ウォブル領域２４の直前部分に形成されている。つまり、ウォブリングエンボスピット領域２３Ｂは、第２エンボスピット領域２３の末尾部分に位置し、ウォブリングエンボスピット領域２３Ｂと第２ウォブル領域２４とは互いに隣接している。ウォブリングエンボスピット領域２３Ｂのサイズは、例えば１ＥＣＣブロックのサイズに等しい。第２エンボスピット領域２３内においてウォブリングエンボスピット領域２３Ｂ以外の領域は、ストレートエンボスピット領域２３Ａである。【００４０】
また、ストレートエンボスピット領域２３Ａの始端Ｐ２は、基板２の中心Ｐ０から基板２の半径方向外側に向けておよそ２４ｍｍ離れた位置よりも基板２の半径方向内側に位置する。ストレートエンボスピット領域２３Ａの末端Ｐ３は、基板２の中心Ｐ０から基板２の半径方向外側に向けておよそ２８ｍｍ離れた位置よりも基板２の半径方向外側に位置する。【００４１】
なお、始端Ｐ２は、基板２の中心Ｐ０から基板２の半径方向外側に向けてちょうど２４ｍｍ離れた位置よりも基板２の半径方向内側に位置することが望ましく、末端Ｐ３は、基板２の中心Ｐ０から基板２の半径方向外側に向けてちょうど２８ｍｍ離れた位置よりも基板２の半径方向外側に位置することが望ましい。しかし、ディスクの偏芯などを考慮すると、基板２の中心Ｐ０から基板２の半径方向外側に向けてちょうど２４ｍｍ離れた位置、または基板２の中心Ｐ０から基板２の半径方向外側に向けてちょうど２８ｍｍ離れた位置を精密に決めることが難しい場合がある。この場合には、始端Ｐ２の位置または末端Ｐ３の位置が基板２の半径方向にわずかにずれることがあり得る。【００４２】
図２中の下段は、記録層３上の記録領域に形成されたエンボスピット列およびウォブリンググルーブを示している。【００４３】
図２中の下段に示すように、第１エンボスピット領域２１にはエンボスピットが形成されている。【００４４】
より詳しく述べると、第１エンボスピット領域２１内のストレートエンボスピット領域２１Ａには、ストレートエンボスピット列３１が形成されている。つまり、ストレートエンボスピット領域２１Ａには、エンボスピットが形成されており、かつウォブルが形成されていない。ストレートエンボスピット列３１はトラックに沿って実質的に直線状に（つまりトラックの曲率と常に同じ曲率で緩やかにカーブするように）伸張している。【００４５】
第１エンボスピット領域２１内のウォブリングエンボスピット領域２１Ｂには、ウォブリングエンボスピット列３２が形成されている。つまり、ウォブリングエンボスピット領域２１Ｂには、エンボスピットが形成されており、かつウォブルが形成されている。ウォブリングエンボスピット列３２は、トラックに沿って伸張しているものの、基板２の半径方向に所定周期および所定振幅で振動（蛇行）している。ウォブリングエンボスピット列３２のウォブルの周期は、ウォブル領域２２に形成されたウォブリンググルーブ３３のウォブルの周期と同じである。また、ウォブリングエンボスピット列３２のウォブルの振幅はウォブリンググルーブ３３のウォブルの振幅の２倍である。さらに、ウォブリングエンボスピット列３２とウォブリンググルーブ３３とは、両者のウォブルが連続するように接続されている。【００４６】
一方、第１ウォブル領域２２には、ウォブリンググルーブ３３が形成されている。つまり、第１ウォブル領域２２には、ウォブルが形成されており、かつエンボスピットが形成されていない。ウォブリンググルーブ３３は、トラックに沿って伸張しているものの、基板２の半径方向に所定周期および所定振幅で振動（蛇行）している。【００４７】
他方、第２エンボスピット領域２３にはエンボスピットが形成されている。【００４８】
より詳しく述べると、第２エンボスピット領域２３内のストレートエンボスピット領域２３Ａには、ストレートエンボスピット列３４が形成されている。つまり、ストレートエンボスピット領域２３Ａには、ストレートエンボスピット領域２１Ａとほぼ同様に、エンボスピットが形成されており、かつウォブルが形成されていない。【００４９】
第２エンボスピット領域２３内のウォブリングエンボスピット領域２３Ｂには、ウォブリングエンボスピット列３５が形成されている。つまり、ウォブリングエンボスピット領域２３Ｂには、ウォブリングエンボスピット領域２１Ｂとほぼ同様に、エンボスピットが形成されており、かつウォブルが形成されている。ウォブリングエンボスピット列３５のウォブルの周期は、ウォブル領域２４に形成されたウォブリンググルーブ３６のウォブルの周期と同じである。また、ウォブリングエンボスピット列３５のウォブルの振幅はウォブリンググルーブ３６のウォブルの振幅の２倍である。さらに、ウォブリングエンボスピット列３５とウォブリンググルーブ３６とは、両者のウォブルが連続するように接続されている。【００５０】
他方、第２ウォブル領域２４には、ウォブリンググルーブ３６が形成されている。つまり、第２ウォブル領域２４にはウォブルが形成されており、かつエンボスピットが形成されていない。ウォブリンググルーブ３６のウォブルの周期および振幅は、ウォブル領域２２に形成されたウォブルリンググルーブ３３のウォブルの周期および振幅とそれぞれ同じである。【００５１】
図３は、第１ウォブル領域２２に形成されたウォブリンググルーブおよびランドプリピットを示している。図３に示すように、第１ウォブル領域２２において、基板２の半径方向に互い隣接する２つのウォブリンググルーブ３３の間にはランド４１が形成されている。このランド４１にはランドプリピット４２が形成されている。ランドプリピット４２の配置に関する規則、構造および機能は、ＤＶＤ−Ｒにおけるランドプリピットの配置に関する規則、構造および機能と同じである。【００５２】
また、第２ウォブル領域２４においても、基板２の半径方向に互いに隣接する２つのウォブリンググルーブ３６の間にはランドが形成されており、このランドにはランドプリピットが形成されている。【００５３】
図４は、ウォブリングエンボスピット領域２１Ｂに形成されたウォブリングエンボスピット列および変形エンボスピット列を示している。図４に示すように、ウォブリングエンボスピット領域２１には、変形エンボスピット列４３が形成されている。変形エンボスピット列４３は、ウォブリングエンボスピット列３２の一部を構成する１つまたは複数個のエンボスピットの位置を、基板２の半径方向に例えばトラックピッチよりも小さい距離移動させることによって形成されている。つまり、変形エンボスピット列４３は、ウォブリングエンボスピット列３２の一部を構成する１つまたは複数個のエンボスピットを、互いに隣接する２つのウォブリングエンボスピット列３２間における所定の位置（例えば中間位置）に移動させることにより形成されている。変形エンボスピット列４３は、ランドプリピットとして認識可能な再生波形を作り出すように形成されており、ランドプリピットと同様の機能を果たす。変形エンボスピット列４３の配置に関する規則は、ＤＶＤ−Ｒにおけるランドプリピットの配置に関する規則と同じである。【００５４】
また、ウォブリングエンボスピット領域２３Ｂにも、ウォブリングエンボスピット領域２１Ｂと同様に変形エンボスピット列が形成されている。【００５５】
なお、図４に示す変形エンボスピット列４３は、上述したようにランドプリピットとして機能する構造体であるが、ランドプリピットとして機能する構造体はこれに限られない。例えば、図５に示すように、ウォブリングエンボスピット列３２の一部を構成する１つまたは複数個のエンボスピットの形状を変形させることにより変形エンボスピット４４を形成し、これをランドプリピットとして機能する構造体として用いてもよい。【００５６】
図６は、情報記録媒体１においてストレートエンボスピット領域２１Ａが形成された部分を拡大して示している。図７は、図６中の矢示Ａ−Ａ方向から見た情報記録媒体１の当該部分の断面を示している。【００５７】
図６または図７に示すように、情報記録媒体１の基板２上には、記録層３、反射層５、保護層６および接着層７が順次積層され、接着層７上にはダミー基板４が設けられている。記録層３は、有機色素材料からなる有機色素層により形成されている。この構造はＤＶＤ−Ｒの構造と同じである。【００５８】
ストレートエンボスピット領域２１Ａにおいては、記録層３にストレートエンボスピット列３１が形成されている。ストレートエンボスピット列３１は、エンボスピット５１、５１、…の配列である。トラックＴの伸張方向において互いに隣接する２つのエンボスピット５１間には非ピット部５２が形成されている。図７に示すように、非ピット部５２の内部は記録層３の有機色素材料で充たされている。【００５９】
ウォブリングエンボスピット領域２１Ｂにおけるウォブリングエンボスピット列３２および変形エンボスピット列４３、ストレートエンボスピット領域２３Ａにおけるストレートエンボスピット列３４、ウォブリングエンボスピット領域２３Ｂにおけるウォブリングエンボスピット列３５および変形エンボスピット列についても、配列の態様は異なるものの、個々のエンボスピットおよび個々の非ピット部の構造は、ストレートエンボスピット列３１におけるエンボスピット５１および非ピット部５２と同じである。【００６０】
情報記録媒体１は例えば次のように製造される。まず、ストレートエンボスピット列３１、ウォブリングエンボスピット列３２、変形エンボスピット列４３、ウォブリンググルーブ３３、ストレートエンボスピット列３４、ウォブリングエンボスピット列３５、変形エンボスピット、ウォブリンググルーブ３６のそれぞれに対応する凹凸を、基板２において記録層３と接触する接触面に、スタンパを用いて形成する。【００６１】
次に、凹凸が形成された基板２の接触面に有機色素材料を塗布する。これにより、接触面上には記録層３が形成され、接触面の凸部はエンボスピットとなり、接触面の凹部は、その内部に有機色素材料が充填されることにより非ピット部となる。【００６２】
次に、記録層３上に、反射層５および保護層６を形成する。【００６３】
次に、保護層６上に接着層７を塗布し、基板２、記録層３、反射層５および保護層６が形成された構造体とダミー基板４とを接着層７により接着する。【００６４】
次に、このようにして組み立てられた情報記録媒体１のエンボスピット領域２１、２３に、直流波形の光ビームを照射することによりＤＣライトを行う。これによりエンボスピット領域２１、２３の有機色素材料（記録層３）の屈折率を大きくすることができ、有機色素材料により形成されたエンボスピットの読み取り精度を高めることができる。【００６５】
なお、図６では、記録層３、反射層５、保護層６、接着層７およびダミー基板４を透視した状態で示している。また、図６および図７のそれぞれにおいて、光ピックアップからの光ビームは矢示Ｂ方向に照射される。図６および図７では、情報記録媒体１において光ビームが照射される面が下に向いているため、エンボスピット５１が凸であり、非ピット部５２が凹である。【００６６】
（エンボスピット領域に記録されている情報）
図８中の上段は、情報記録媒体１の記録領域構造の詳細を示しており、これは図２中の中段に示した記録領域構造とほぼ同じである。図８中の下段は、第１エンボスピット領域２１および第２エンボスピット領域２３のそれぞれにエンボスピットとして記録された情報を示している。【００６７】
第１エンボスピット領域２１および第２エンボスピット領域２３において、情報はエンボスピットとして記録される。エンボスピットは、情報記録媒体１の製造過程の中で例えばスタンパを用いて形成される。したがって、情報記録媒体１の出荷時において、第１エンボスピット領域２１および第２エンボスピット領域２２には情報がすでに記録されている。【００６８】
第１エンボスピット領域２１にエンボスピットとして記録されている情報には、情報暗号化に関する情報の一部が少なくとも含まれている。【００６９】
なお、第１エンボスピット領域２１にエンボスピットとして記録する情報には、情報暗号化に関する情報の全部を含めてもよい。また、第１エンボスピット領域２１にエンボスピットとして記録する情報には、情報記録媒体自体に関する情報（例えばメディアＩＤ）や、情報記録装置または情報再生装置の制御に関する情報など、リードイン領域１１に記録すべき情報の一部または全部を含めてもよい。【００７０】
第１エンボスピット領域２１は、１ＥＣＣブロックのサイズの整数倍のサイズを有している。情報暗号化に関する情報などは、図８中の下段に示すように、複数のＥＣＣブロック６１、６１、…に分割された状態で第１エンボスピット領域２１に記録されている。つまり、第１エンボスピット領域２１には、複数のＥＣＣブロック６１、６１、…が連続して配列されている。【００７１】
もっとも、図８の下段に示すように、第１エンボスピット領域２１の先頭部分に記録された情報のブロックは、完全なＥＣＣブロックではない。第１エンボスピット領域２１の先頭部分に記録された情報のブロックは、完全なＥＣＣブロック６１からその先頭部分６１Ａを取り除いた残余部分６１Ｂのみである。つまり、第１エンボスピット領域２１の先頭部分に記録された情報は、ＥＣＣブロック６１の先頭部分６１Ａを構成する所定の情報に続く情報である。【００７２】
さらに、第１エンボスピット領域２１の末尾部分に記録された情報のブロックも、完全なＥＣＣブロックではない。第１エンボスピット領域２１の末尾部分に記録された情報のブロックは、ＥＣＣブロック６１の先頭部分６１Ａのみである。つまり、第１エンボスピット領域２１の末尾部分（第１ウォブル領域２２の直前に位置する第１エンボスピット領域２１内の部分領域）にエンボスピットとして記録された情報は、ＥＣＣブロック６１の先頭部分６１Ａを構成する所定の情報である。【００７３】
ＥＣＣブロック６１の先頭部分６１Ａを構成する所定の情報には、セクタＩＤが少なくとも含まれている。より具体的には、ＥＣＣブロック６１の先頭部分６１Ａを構成する所定の情報には、例えばセクタＩＤ、ＩＥＤ（ID Error Detection code）およびＣＰＲ＿ＭＡＩ（Copyright Management Information）などが含まれている。また、ＥＣＣブロック６１の先頭部分６１Ａのサイズｍ（図８参照）は、例えば１６バイトである。【００７４】
他方、第２エンボスピット領域２３にエンボスピットとして記録されている情報は、ほぼゼロデータである。つまり、第２エンボスピット領域２３には、例えばSyncコード、セクタＩＤ、エラー訂正符号などの管理情報ないし制御情報をゼロデータに付加したデータがエンボスピットとして記録されている。【００７５】
なお、第２エンボスピット領域２３には、ゼロデータに代えて、利用価値のある何らかのコンテンツデータを記録してもよい。【００７６】
第２エンボスピット領域２３は、１ＥＣＣブロックのサイズの整数倍のサイズを有している。ゼロデータなどは、図８中の下段に示すように、複数のＥＣＣブロック６１、６１、…に分割された状態で第２エンボスピット領域２３に記録されている。つまり、第２エンボスピット領域２３には、複数のＥＣＣブロック６１、６１、…が連続して配列されている。【００７７】
もっとも、図８の下段に示すように、第２エンボスピット領域２３の先頭部分に記録された情報のブロックは、完全なＥＣＣブロック６１からその先頭部分６１Ａ（例えば１６バイト）を取り除いた残余部分６１Ｂのみである。つまり、第２エンボスピット領域２３の先頭部分に記録された情報は、ＥＣＣブロック６１の先頭部分６１Ａを構成する所定の情報に続く情報である。【００７８】
さらに、第２エンボスピット領域２３の末尾部分に記録された情報のブロックは、ＥＣＣブロック６１の先頭部分６１Ａ（例えば１６バイト）のみである。つまり、第２エンボスピット領域２３の末尾部分（第２ウォブル領域２４の直前に位置する第２エンボスピット領域２３内の部分領域）にエンボスピットとして記録された情報は、ＥＣＣブロック６１の先頭部分６１Ａを構成する所定の情報である。この所定の情報には、セクタＩＤが少なくとも含まれており、より具体的には、例えばセクタＩＤ、ＩＥＤおよびＣＰＲ＿ＭＡＩなどが含まれている。【００７９】
（情報記録媒体にプリレコードされたアドレス情報）
第１エンボスピット領域２１、第１ウォブル領域２２、第２エンボスピット領域２３および第２ウォブル領域２４にそれぞれ形成されたトラックには、第１エンボスピット領域２１の始端から第２ウォブル領域２４の末端にかけて、ＣＬＶ（Constant Linear Velocity）フォーマットに従って、アドレス情報が予め記録されている。アドレス情報は、第１エンボスピット領域２１および第２エンボスピット領域２３においてはエンボスピットとして記録されており、第１ウォブル領域２２および第２ウォブル領域２４においてはランドプリピットとして記録されている。【００８０】
（情報記録媒体の機能）
図９は、情報記録媒体１の機能を、分割された記録領域ごとに示している。【００８１】
図９中の下段に示すように、第１エンボスピット領域２１は複製防止機能を有する。第１ウォブル領域２２はファイルシステム追記機能を有する。ストレートエンボスピット領域２３Ａはメディアタイプ判別機能を有する。第２ウォブル領域２４はコンテンツデータ追記機能を有する。ウォブリングエンボスピット領域２１Ｂ、２３Ｂはそれぞれ記録制御補助機能を有する。【００８２】
以下、情報記録媒体１の利用態様の一例をあげ、この利用態様の一例を説明する中で、上述した情報記録媒体１の機能について説明する。【００８３】
まず、第１ウォブル領域２２のファイルシステム追記機能、第２ウォブル領域２４のコンテンツデータ追記機能、およびストレートエンボスピット領域２３Ａのメディアタイプ判別機能について説明する。【００８４】
ここで取り上げる情報記録媒体１の利用態様の概要は次の通りである。すなわち、少なくとも第１ウォブル領域２２および第２ウォブル領域２４に情報（ウォブルおよびランドプリピットにより形成される情報を除く）が何も記録されていない状態の情報記録媒体１をユーザに販売する。ユーザは、この情報記録媒体１を購入し、ＤＶＤレコーダを用いて、映画やテレビ番組などのコンテンツデータを情報記録媒体１に記録する。このコンテンツデータが情報記録媒体１に記録されるときには、コンテンツデータがＣＳＳにより暗号化される。つまり、ＣＳＳにより暗号化されたコンテンツデータが情報記録媒体１に記録される。情報記録媒体１に記録されたコンテンツデータは、情報記録媒体１の有するメディア判別機能などにより、例えば上述した第１世代ＤＶＤプレーヤでも第２世代ＤＶＤプレーヤでも再生することが可能になる。しかも、ＣＳＳによる暗号化により、情報記録媒体１に記録されたコンテンツデータが他の情報記録媒体に複製されるのを防止することができる。【００８５】
では、このような情報記録媒体１の利用態様についてさらに詳細に説明する。【００８６】
まず、情報記録媒体１の出荷前ないし販売前において、情報記録媒体１の分割された各記録領域には例えば次のような状態が設定される。すなわち、第１エンボスピット領域２１には、メディアＩＤおよび情報暗号化に関する情報が少なくとも記録されている。このメディアＩＤは、メディアタイプがＤＶＤ−ＲＯＭであることを示している。また、情報暗号化に関する情報には、当該情報記録媒体１に固有の暗号化情報が含まれている。【００８７】
一方、第１ウォブル領域２２にはウォブルおよびランドプリピットが形成されているものの、情報は何も記録されていない（つまりウォブリンググルーブ上にはマークが全く形成されていない）。第２エンボスピット領域２２には例えばゼロデータが記録されている。第２ウォブル領域２４にはウォブルおよびランドプリピットが形成されているものの、情報は何も記録されていない（つまりウォブリンググルーブ上にはマークが全く形成されていない）。【００８８】
このような状態が設定された情報記録媒体１が販売され、この情報記録媒体１をユーザが購入する。そして、ユーザは、ＤＶＤレコーダを用いて、映画やテレビ番組などのコンテンツデータをこの情報記録媒体１に記録する。【００８９】
すなわち、ユーザが情報記録媒体１をＤＶＤレコーダに挿入し、コンテンツデータの記録開始の指示をＤＶＤレコーダに入力する。これに応じ、ＤＶＤレコーダは、外部から入力されたコンテンツデータを情報記録媒体１の第２ウォブル領域２４に記録する処理（以下、これを「コンテンツデータ記録処理」という。）を開始する。【００９０】
第２ウォブル領域２４は記録可能領域である。コンテンツデータ記録処理において、ＤＶＤレコーダはコンテンツデータを第２ウォブル領域２４に記録することができる。また、第２ウォブル領域２４に予め形成されたウォブルおよびランドプリピットは、ＤＶＤレコーダによるコンテンツデータ記録処理において、情報記録媒体１の回転制御、情報記録のための位置決め、アドレス情報取得などのために利用される。これが第２ウォブル領域２４のコンテンツデータ追記機能である。【００９１】
また、このＤＶＤレコーダは、コンテンツデータをＣＳＳにより暗号化して情報記録媒体１に記録する機能を備えている。コンテンツデータ記録処理において、ＤＶＤレコーダは、第１エンボスピット領域２１に予め記録された暗号化情報を読み取り、この暗号化情報を用いてＣＳＳによりコンテンツデータを暗号化する。これにより、第２ウォブル領域２４には、情報記録媒体１に固有の暗号化情報を用いてＣＳＳにより暗号化されたコンテンツデータが記録（追記）される。【００９２】
コンテンツデータ記録処理が完了し、ユーザが情報記録媒体１をファイナライズすべき旨の指示をＤＶＤレコーダに入力すると、ＤＶＤレコーダは、情報記録媒体１をファイナライズする処理（以下、これを「ファイナライズ処理」という。）を開始する。【００９３】
第１ウォブル領域２２は記録可能領域である。また、第１ウォブル領域２２はユーザーデータ領域１２の先頭部分に位置する。この位置は、ＤＶＤ−Ｒにおいてファイルシステムを記録すべき位置と一致する。例えば、リードイン領域１１とユーザーデータ領域１２との境界位置Ｐ１には、30000ｈ（１６進数表示）のアドレスが設定されている。第１ウォブル領域２１は、この位置Ｐ１を内部に含んでいる。したがって、ファイナライズ処理において、ＤＶＤレコーダは、ファイルシステムを生成し、このファイルシステムを第１ウォブル領域２２内の位置Ｐ１から記録（追記）することができる。また、第１ウォブル領域２２に予め形成されたウォブルおよびランドプリピットは、ＤＶＤレコーダによるファイナライズ処理（ファイルシステムの記録処理）において、情報記録媒体１の回転制御、情報記録のための位置決め、アドレス情報取得などのために利用される。これが第１ウォブル領域２２のファイルシステム追記機能である。【００９４】
第１ウォブル領域２２は、ファイルシステム追記機能に関する特徴をさらに有する。それは、第１ウォブル領域２２が、リードイン領域１１とユーザーデータ領域１２との境界位置Ｐ１を跨ぎ、リードイン領域１１側に向けて拡張されていることである。ＤＶＤレコーダは、ファイルシステムを記録するとき、図９中の位置Ｐ１から第１ウォブル領域２２の末端に向けてファイルシステムを記録する。しかし、情報記録媒体１の傾きなどにより異常事態が発生し、ファイルシステムの記録開始位置が位置Ｐ１よりも基板２の半径方向内側にずれることが考えられる。このような異常事態が生じたときでも、第１ウォブル領域２２が基板２の半径方向内側に拡張されているので、ＤＶＤレコーダは、ずれた記録開始位置からファイルシステムを記録することができる。つまり、異常事態が生じたことによりファイルシステムの記録開始位置が位置Ｐ１よりも基板２の半径方向内側にずれても、このずれた記録開始位置が第１エンボスピット領域２１に入ってしまうことがない。なお、第１ウォブル領域２２の始端からファイルシステムの記録が開始される位置（正常時では位置Ｐ１）の直前までの間には、ファイルシステムの記録開始時直前にゼロデータが記録される。【００９５】
さて、情報記録媒体１についてファイナライズ処理が終了した後、ユーザは、情報記録媒体１をＤＶＤレコーダから取り出す。そして、情報記録媒体１に記録されたコンテンツデータを再生するために、情報記録媒体１を第２世代ＤＶＤプレーヤに挿入する。【００９６】
第２世代ＤＶＤプレーヤは、挿入された情報記録媒体に対してメディアタイプ判別処理を行う。そして、第２世代ＤＶＤプレーヤは、メディアタイプ判別処理の結果、挿入された情報記録媒体の種類（メディアタイプ）が記録可能型ＤＶＤであり、かつこの情報記録媒体に記録されているコンテンツデータがＣＰＲＭ以外の暗号化方式で暗号化されているときには、この情報記録媒体を、不正に複製された可能性のあるＤＶＤと推測し、この情報記録媒体に記録されたコンテンツデータの再生を拒否（例えばイジェクト）してしまう。また、第２世代ＤＶＤプレーヤは、メディアタイプ判別処理の結果、挿入された情報記録媒体の種類が再生専用型ＤＶＤ（ＤＶＤ−ＲＯＭ）であり、かつこの情報記録媒体に記録されたコンテンツデータがＣＳＳの暗号化方式で暗号化されているときには、この情報記録媒体に記録されたコンテンツデータの再生を許可する。【００９７】
第２世代ＤＶＤプレーヤは、メディアタイプ判別処理を例えば次のような手順で行う。情報記録媒体が第２世代ＤＶＤプレーヤに挿入されると、まず、第２世代ＤＶＤプレーヤは、挿入された情報記録媒体からメディアＩＤを読み取る。続いて、第２世代ＤＶＤプレーヤは、挿入された情報記録媒体の記録層の所定領域（以下、これを「メディアタイプ判別領域」という。）に光ビームを照射し、当該メディアタイプ判別領域にウォブルが形成されているか否かを検出する。このメディアタイプ判別領域は、情報記録媒体の中心から情報記録媒体の半径方向外側に向けておよそ２４ｍｍ離れた位置から、情報記録媒体の中心から情報記録媒体の半径方向外側に向けておよそ２８ｍｍ離れた位置までの範囲内に配置される。【００９８】
そして、メディアＩＤがＤＶＤ−ＲＯＭを示しており、かつメディアタイプ判別領域にウォブルが形成されていないときには、第２世代ＤＶＤプレーヤは、挿入された情報記録媒体がＤＶＤ−ＲＯＭであると判断する。一方、メディアＩＤが記録可能型ＤＶＤ（ＤＶＤ−Ｒ、ＤＶＤ−ＲＷなど）を示しており、かつメディアタイプ判別領域にウォブルが形成されているときには、第２世代ＤＶＤプレーヤは、挿入された情報記録媒体が記録可能型ＤＶＤであると判断する。【００９９】
さて、ユーザにより情報記録媒体１が第２世代ＤＶＤプレーヤに挿入されると、第２世代ＤＶＤプレーヤは、情報記録媒体１に対してメディアタイプ判別処理を行う。すなわち、第２世代ＤＶＤプレーヤは、まず、情報記録媒体１の第１エンボスピット領域２１に記録されたメディアＩＤを読み取る。次に、第２世代ＤＶＤプレーヤは、光ビームを情報記録媒体１のメディアタイプ判別領域に照射し、メディアタイプ判別領域にウォブルが形成されているか否かを検出する。【０１００】
第１エンボスピット領域２１に記録されたメディアＩＤは、メディアタイプがＤＶＤ−ＲＯＭであることを示している。【０１０１】
また、図２に示すように、ストレートエンボスピット領域２３Ａの始端Ｐ２は、基板２の中心Ｐ０から基板２の半径方向外側に向けておよそ２４ｍｍ離れた位置よりも基板２の半径方向内側に位置する。ストレートエンボスピット領域２３Ａの末端Ｐ３は、基板２の中心Ｐ０から基板２の半径方向外側に向けておよそ２８ｍｍ離れた位置よりも基板２の半径方向外側に位置する。このように、ストレートエンボスピット領域２３Ａは、メディア判別領域をその内部に完全に含んでいる。そして、ストレートエンボスピット領域２３Ａにはウォブルが形成されていない。この結果、情報記録媒体１のメディア判別領域にはウォブルが形成されていないことになる。【０１０２】
したがって、第２世代ＤＶＤプレーヤは、情報記録媒体１に対するメディアタイプ判別処理の結果、メディアＩＤがＤＶＤ−ＲＯＭを示しており、かつメディアタイプ判別領域にウォブルが形成されていないという結果を得る。そして、この結果に基づき、第２世代ＤＶＤプレーヤは、情報記録媒体１がＤＶＤ−ＲＯＭであると判断する。つまり、情報記録媒体１は記録可能領域（第１ウォブル領域２２および第２ウォブル領域２４）を有しており、ＤＶＤ−ＲＯＭではないが、第２世代ＤＶＤプレーヤのメディアタイプ判別処理によりＤＶＤ−ＲＯＭであると判断されるのである。【０１０３】
情報記録媒体１において、ストレートエンボスピット領域２３Ａがメディアタイプ判別領域を完全に包含するような場所に配置され、かつストレートエンボスピット領域２３Ａ内にウォブルが形成されていない。このような構成により、第２世代ＤＶＤプレーヤに情報記録媒体１をＤＶＤ−ＲＯＭと認識させるための条件の１つが作り出される。これがストレートエンボスピット領域２３Ａのメディアタイプ判別機能である。【０１０４】
続いて、ユーザが、コンテンツデータの再生を開始する旨の指示を第２世代ＤＶＤプレーヤに入力すると、これに応じ、第２世代ＤＶＤプレーヤは、情報記録媒体１に記録されたコンテンツデータを再生する。情報記録媒体１に記録されたコンテンツデータを再生するとき、第２世代ＤＶＤプレーヤは、ＣＳＳにより暗号化されたコンテンツデータを解読（復号化）する。ＤＶＤ−ＲＯＭに記録されたコンテンツデータがＣＳＳにより暗号化されていることは正常な状態なので、第２世代ＤＶＤプレーヤは、情報記録媒体１にＣＳＳにより暗号化されて記録されているコンテンツデータの適切な再生を許可するのである。【０１０５】
次に、ウォブリングエンボスピット領域２１Ｂの記録制御補助機能について説明する。【０１０６】
図９に示すように、ウォブリングエンボスピット領域２１Ｂを設けることにより、コンテンツデータ記録処理などにおいて、ＤＶＤレコーダが光ビームを用いて第１エンボスピット領域２１から第１ウォブル領域２２に向けてトラックを走査するとき、ウォブルに基づく情報記録媒体１の回転制御や、ウォブルおよびランドプリピットにも基づく情報記録のための位置決めなどを高精度に行うことが可能になる。【０１０７】
つまり、図２に示すように、ストレートエンボスピット領域２１Ａにはエンボスピットが形成されているが、ウォブルが形成されていない。このため、ＤＶＤレコーダは、ストレートエンボスピット領域２１Ａでは、ストレートエンボスピット列３１として記録された制御情報などに基づいて情報記録媒体１の回転制御などを行う。一方、第１ウォブル領域２２には、エンボスピットが形成されていないが、ウォブルが形成されている。このため、ＤＶＤレコーダは、第１ウォブル領域２２では、ウォブルに基づいて情報記録媒体１の回転制御や情報記録のための位置決めなどを行う。このように、ＤＶＤレコーダは、ストレートエンボスピット領域２１Ａと第１ウォブル領域２２とで異なる方式により回転制御などを行う。この結果、ＤＶＤレコーダが、ストレートエンボスピット領域２１Ａから第１ウォブル領域２２へ連続的に走査を行うときには、回転制御方式などを切り替えるための準備期間（助走期間）が存在することが望ましい。ウォブリングエンボスピット領域２１Ｂは、この準備期間を作り出すための領域である。【０１０８】
すなわち、ウォブリングエンボスピット領域２１Ｂには、ウォブリングエンボスピット列３２および変形エンボスピット列４３が形成されている。したがって、ＤＶＤレコーダは、ウォブリングエンボスピット列３２のウォブルおよび変形エンボスピット列４３に基づいて、回転制御用のクロック信号や、情報記録用のタイミングパルス信号などを作り出すことができる。さらに、ウォブリングエンボスピット列３２のウォブルの周期とウォブリンググルーブ３３のウォブルの周期とは同じであり、かつウォブリングエンボスピット列３２とウォブリンググルーブ３３とは両者のウォブルが連続的に接続されている。したがって、ウォブリングエンボスピット列３２のウォブルおよび変形エンボスピット列４３に基づいて作り出された回転制御用のクロック信号や情報記録用のタイミングパルス信号は、ウォブリンググルーブ３３のウォブルおよびランドプリピットに基づいて作り出される回転制御用のクロック信号や情報記録用のタイミングパルスと同期したものとなる。これにより、ＤＶＤレコーダが光ビームを用いて第１エンボスピット領域２１から第１ウォブル領域２２に向けてトラックを走査するとき、ウォブルに基づく情報記録媒体１の回転制御や、ウォブルおよびランドプリピットにも基づく情報記録のための位置決めなどを高精度に行うことが可能になる。これがウォブリングエンボスピット領域２１Ｂの記録制御補助機能である。ウォブリングエンボスピット領域２３Ｂの記録制御補助機能も、ウォブリングエンボスピット領域２１Ｂの記録制御補助機能と同じである。【０１０９】
なお、ウォブリングエンボスピット列３２のウォブルの振幅は、ウォブリンググルーブ３３のウォブルの振幅の２倍である。これにより次のような効果を得ることができる。ＤＶＤレコーダは、ウォブルを検出するために、プッシュプル法を用いている。プッシュプル法では、トラックの伸張方向に対して平行な直線を境にして一方側と他方側に配置された少なくとも２つの受光素子を用い、これら２つの受光素子により得られる光ビームの反射光の強度に対応する信号の差を演算し、この演算結果に基づいてウォブルの検出を行う。ウォブリングエンボスピット列３２において、エンボスピットと非ピット部との比は１：１である（つまりエンボスピットと非ピット部とからなる凹凸をパルス信号に例えるとデューティ比が５０％である）。したがって、仮にウォブリングエンボスピット列３２のウォブルの振幅とウォブリンググルーブ３３のウォブルの振幅とが同じであるとすると、ウォブリングエンボスピット列３２から得られるウォブル検出信号の振幅は、ウォブリンググルーブ３３から得られるウォブル検出信号の振幅の２分の１になる。とすれば、ウォブリングエンボスピット列３２のウォブルの振幅をウォブリンググルーブ３３のウォブルの振幅の２倍にすると、ウォブリングエンボスピット列３２から得られるウォブル検出信号の振幅は、ウォブリンググルーブ３３から得られるウォブル検出信号の振幅と同じになる。このような考え方に基づき、ウォブリングエンボスピット列３２のウォブルの振幅は、ウォブリンググルーブ３３のウォブルの振幅の２倍に設定されている。これにより、ＤＶＤレコーダが光ビームを用いて第１エンボスピット領域２１から第１ウォブル領域２２に向けてトラックを走査するとき、ウォブル検出信号の振幅が大きく変動することがない。したがって、ウォブルに基づく情報記録媒体１の回転制御や、ウォブルおよびランドプリピットにも基づく情報記録のための位置決めなどを高精度に行うことが可能になる。ウォブリングエンボスピット列３５についても同じである。【０１１０】
次に、第１ウォブル領域２１の複製防止機能について説明する。【０１１１】
第１ウォブル領域２１を設けることにより、情報記録媒体１を用いてコンテンツデータなどが不正に複製されるのを防止することができる。【０１１２】
すなわち、情報記録媒体１には、ユーザがＤＶＤレコーダを用いてＣＳＳにより暗号化されたコンテンツデータを記録することができる。そして、情報記録媒体１にＣＳＳにより暗号化されて記録されたコンテンツデータは、第１世代ＤＶＤでも第２世代ＤＶＤでも再生することができる。したがって、仮に、リードイン領域１１内において、情報暗号化に関する情報（暗号化情報）を記録すべき領域が記録可能領域であるとすると、暗号化情報とこの暗号化情報を用いてＣＳＳにより暗号化されたコンテンツデータとを情報記録媒体１に記録することが可能になってしまい、かつ、このコンテンツデータを第１世代ＤＶＤでも第２世代ＤＶＤでも再生することが可能になってしまう。この結果、例えば、映画のコンテンツデータがＣＳＳにより暗号化されて記録されている市販のＤＶＤ−ＲＯＭの複製を、情報記録媒体１を用いて簡単に作り出すことが可能になってしまう。【０１１３】
しかし、実際には、情報記録媒体１のリードイン領域１１には第１エンボスピット領域２１が形成されており、第１エンボスピット領域２１内に、情報暗号化に関する情報（暗号化情報）がエンボスピットとして記録されている。このため、ユーザはこの暗号化情報を書き換えることも、この暗号化情報を消去することも、他の暗号化情報を追記することもできない。したがって、暗号化情報とこの暗号化情報を用いてＣＳＳにより暗号化されたコンテンツデータとを情報記録媒体１に記録することができない。それゆえ、映画のコンテンツデータがＣＳＳにより暗号化されて記録されている市販のＤＶＤ−ＲＯＭの複製を、情報記録媒体１を用いて作り出すことはできない。これが第１ウォブル領域２１の複製防止機能である。【０１１４】
以上説明した通り、情報記録媒体１は、第２ウォブル領域２４（記録可能領域）を有し、第２ウォブル領域２４にはウォブリンググルーブ３６およびランドプリピットが形成されている。この構成はＤＶＤ−Ｒと互換性を有する。したがって、ＤＶＤ−Ｒにコンテンツデータを記録する機能を備えたＤＶＤレコーダを用いて、コンテンツデータを情報記録媒体１に記録（追記）することができる。【０１１５】
また、第１エンボスピット領域２１には、ＣＳＳに用いられる暗号化情報が記録されている。これにより、ＤＶＤレコーダにコンテンツデータをＣＳＳにより暗号化する機能を持たせることにより、このＤＶＤレコーダを用いてＣＳＳにより暗号化されたコンテンツデータを情報記録媒体１に記録することができる。【０１１６】
また、情報記録媒体１は、第１ウォブル領域２２（記録可能領域）を有し、この第１ウォブル領域２２にはウォブリンググルーブ３３およびランドプリピット４２が形成されている。さらに、第１ウォブル領域２２は、ユーザーデータ領域１２の先頭部分に配置されている。つまり、ＤＶＤ−Ｒにおいてファイルシステムが記録されるべき領域と同じ領域に第１ウォブル領域２２が配置されている。これにより、ファイナライズ処理において生成されるファイルシステムを情報記録媒体１に記録することができ、かつファイルシステムが記録される位置を、ＤＶＤ−Ｒにおいてファイルシステムが記録される位置と同じにすることができる。したがって、ファイナライズ処理によって、ＤＶＤの記録フォーマットに適合する記録フォーマットを情報記録媒体１上に作り出すことができる。これにより、ＤＶＤ規格に準拠したＤＶＤプレーヤおよびＤＶＤレコーダにより、情報記録媒体１に記録されたコンテンツデータを再生することが可能になる。【０１１７】
また、第１ウォブル領域２２は、リードイン領域１１とユーザーデータ領域１２との境界位置Ｐ１を跨ぎ、リードイン領域１１側に向けて拡張されている。これにより、情報記録媒体１の傾きなどにより異常事態が発生し、ファイルシステムの記録開始位置が図２中の位置Ｐ１よりも基板２の半径方向内側にずれたとしても、ずれた位置からファイルシステムを記録することが可能になる。これにより、ファイルシステムを情報記録媒体１に確実に記録することが可能になる。【０１１８】
また、情報記録媒体１は、ストレートエンボスピット領域２３Ａを有し、ストレートエンボスピット領域２３Ａにはウォブルが形成されていない。さらに、図２に示すように、ストレートエンボスピット領域２３Ａの始端は、基板２の中心Ｐ０から基板２の半径方向外側に向けておよそ２４ｍｍ離れた位置よりも基板２の半径方向内側に位置し、ストレートエンボスピット領域２３Ａの末端Ｐ３は、基板２の中心Ｐ０から基板２の半径方向外側に向けておよそ２８ｍｍ離れた位置よりも基板２の半径方向外側に位置する。この結果、ストレートエンボスピット領域２３Ａは、第２世代ＤＶＤプレーヤにおけるメディアタイプ判別領域を完全に含んでいる。これにより、第２世代ＤＶＤプレーヤに情報記録媒体１をＤＶＤ−ＲＯＭと認識させることができる。したがって、ＣＳＳにより暗号化されて情報記録媒体１に記録されたコンテンツデータを第２世代ＤＶＤプレーヤにより再生することが可能となる。よって、情報記録媒体１によれば、ＣＳＳにより暗号化されたコンテンツデータが、光ビームの照射によりコンテンツデータを情報記録媒体に記録する記録方式（つまりＤＶＤレコーダが採用している記録方式）により記録された場合であっても、このコンテンツデータを第１世代ＤＶＤプレーヤおよび第２世代ＤＶＤプレーヤで再生することが可能になる。つまり、情報記録媒体１によれば、ＣＳＳにより暗号化されたコンテンツデータが、光ビームの照射によりコンテンツデータを情報記録媒体に記録する記録方式により記録された場合であっても、このコンテンツデータをより多くのタイプの情報再生装置で再生することが可能になる。【０１１９】
また、情報記録媒体１は、ウォブリングエンボスピット領域２１Ｂを有し、ウォブリングエンボスピット領域２１Ｂには、ウォブリングエンボスピット３２および変形エンボスピット列４３が形成されている。これにより、コンテンツデータ記録処理などにおいて、ＤＶＤレコーダが光ビームを用いて第１エンボスピット領域２１から第１ウォブル領域２２に向けてトラックを走査するとき、ウォブルに基づく情報記録媒体１の回転制御や、ウォブルおよびランドプリピットにも基づく情報記録のための位置決めなどを高精度に行うことが可能になる。【０１２０】
また、情報記録媒体１は、ウォブリングエンボスピット領域２３Ｂを有し、ウォブリングエンボスピット領域２３Ｂには、ウォブリングエンボスピット３５および変形エンボスピット列が形成されている。これにより、コンテンツデータ記録処理などにおいて、ＤＶＤレコーダが光ビームを用いて第２エンボスピット領域２３から第２ウォブル領域２４に向けてトラックを走査するとき、ウォブルに基づく情報記録媒体１の回転制御や、ウォブルおよびランドプリピットにも基づく情報記録のための位置決めなどを高精度に行うことが可能になる。【０１２１】
また、情報記録媒体１は第１ウォブル領域２１を有し、第１ウォブル領域２１には、少なくとも、情報暗号化に関する情報（暗号化情報）の一部がエンボスピットとして記録されている。これにより、上述したような第１ウォブル領域２１の複製防止機能が実現される。したがって、情報記録媒体１を用いてコンテンツデータなどが不正に複製されるのを防止することができる。【０１２２】
また、図８に示すように、第２エンボスピット領域２３の先頭部分に記録された情報は、ＥＣＣブロック６１の先頭部分６１Ａを構成する所定の情報（セクタＩＤなど）に続く情報、つまり残余部分６１Ｂを構成する情報である。これにより、第１ウォブル領域２２に記録される情報と第２エンボスピット領域２３に記録された情報との連続性を確保することができる。また、第２エンボスピット領域２３の末尾部分にエンボスピットとして記録された情報は、ＥＣＣブロック６１の先頭部分６１Ａを構成する所定の情報である。これにより、第２エンボスピット領域２３に記録された情報と第２ウォブル領域２４に記録される情報との連続性を確保することができる。【０１２３】
つまり、ＤＶＤ−Ｒに例えば情報αを記録するとき、情報αの末尾部分には、次のＥＣＣブロックΦの先頭部分を構成する所定の情報（セクタＩＤなど）を記録する。そして、このＤＶＤ−Ｒにさらに情報βを追記するときには、情報βの先頭部分には、ＥＣＣブロックΦの先頭部分を構成する所定の情報に続く情報、つまりＥＣＣブロックΦの残余部分を構成する情報を記録する。これら２回のコンテンツデータ記録処理が終了した後においてＤＶＤ−Ｒには、情報αの末尾部分に記録されたＥＣＣブロックΦの先頭部分と、情報βの先頭部分に記録されたＥＣＣブロックΦの残余部分とが連結され、１つのＥＣＣブロックΦが形成される。このようにしてＤＶＤ−Ｒにおいて第１回目に記録された情報と第２回目に記録された情報との連続性が確保される。【０１２４】
このようなＤＶＤ−Ｒに関するコンテンツデータ記録処理のルールを情報記録媒体１にも適用することができようにすれば、情報記録媒体１とＤＶＤ−Ｒとの互換性を図ることができる。そこで、第１ウォブル領域２２と第２エンボスピット領域２３との境界付近で情報の連続性を確保するために、第２エンボスピット領域２３の先頭部分には、ＥＣＣブロック６１の先頭部分６１Ａを構成する所定の情報に続く情報、つまりＥＣＣブロック６１の残余部分６１Ｂを構成する情報を予め記録しておく。また、第２エンボスピット領域２３と第２ウォブル領域２４との境界付近で情報の連続性を確保するために、第２エンボスピット領域の末尾部分には、ＥＣＣブロック６１の先頭部分６１Ａを構成する所定の情報を予め記録しておく。【０１２５】
また、図８に示すように、第１エンボスピット領域２１の先頭部分に記録された情報は、ＥＣＣブロック６１の先頭部分６１Ａを構成する所定の情報に続く情報、つまりＥＣＣブロック６１の残余部分６１Ｂを構成する情報である。これにより、第１エンボスピット領域２１よりも基板２の半径方向内周側に位置する領域に記録された情報と第１エンボスピット領域２１に記録された情報との連続性を確保することができる。【０１２６】
また、第１エンボスピット領域２１の末尾部分にエンボスピットとして記録された情報は、ＥＣＣブロック６１の先頭部分６１Ａを構成する所定の情報である。これにより、第１エンボスピット領域２１に記録された情報と第１ウォブル領域２２に記録される情報との連続性を確保することができる。【０１２７】
また、情報記録媒体１の第１エンボスピット領域２１、第１ウォブル領域２２、第２エンボスピット領域２３および第２ウォブル領域２４にそれぞれ形成されたトラックには、第１エンボスピット領域２１の始端から第２ウォブル領域２４の末端にかけて、ＣＬＶフォーマットに従って、アドレス情報が予め記録されている。これにより、第１エンボスピット領域２１の始端から第２ウォブル領域２４の末端にかけて記録された情報の連続性を確保することができると共に、ＣＬＶを採用したＤＶＤプレーヤおよびＤＶＤレコーダにより情報記録媒体１に記録された情報を再生することが可能になる。【０１２８】
なお、上述した実施形態によれば、図２に示すように、第２エンボスピット領域２３内のストレートエンボスピット領域２３Ａには、ストレートエンボスピット列３４が形成されている。つまり、ストレートエンボスピット領域２３Ａには、エンボスピットが形成されており、かつウォブルが形成されていない。しかし、この構成に代え、図１０に示すような構成を採用することもできる。すなわち、図１０に示すように、当該領域２３Ａに、ウォブリンググルーブ７１およびエンボスピット列７２を形成し、ウォブリンググルーブ７１が描く波形の位相に対し１８０度異なる位相を有し、かつその振幅がウォブリンググルーブ７１の振幅に対しておよそ倍となる波形を描くように、エンボスピット列７２中のエンボスピット７２Aを配列してもよい。すなわち、ウォブリンググルーブ７１が図１０中の右側に振られたとき、エンボスピット列７２はそれを打ち消すように左側へ重心をシフトする。同様に、ウォブリンググルーブ７１が図１０中の左側に振られたとき、エンボスピット列７２はそれを打ち消すように右側へ重心をシフトする。なお、図１０では、説明の便宜上、ウォブリンググルーブ７１およびエンボスピット列７２などを情報記録媒体１のトラックの周方向に縮めた状態で示している。また、図１１は、図１０中の矢示Ｂ−Ｂから見たエンボスピット７２Aの断面形状を拡大して示している。このような構成によれば、ＤＶＤレコーダあるいはＤＶＤプレーヤなどが当該領域２３Ａに形成されたウォブリンググルーブ７１のウォブルを検出することができなくなるようにすることができる。つまり、この構成によれば、実際にはウォブルが形成されているのにもかかわらず、ウォブルが形成されていないのと実質的に同じ状態を作り出すことができる。さらに、この構成をストレートエンボスピット領域２１Ａに採用してもよい。【０１２９】
また、本発明は、請求の範囲および明細書全体から読み取るこのできる発明の要旨または思想に反しない範囲で適宜変更可能であり、そのような変更を伴う情報記録媒体もまた本発明の技術思想に含まれる。
【産業上の利用可能性】
【０１３０】
本発明に係る情報記録媒体は、例えば、映画、テレビ番組または音楽などのコンテンツデータを記録するのに適した情報記録媒体に利用可能である。
【図１】
0004425322.tif 000002
【図２】
0004425322.tif 000003
【図３】
0004425322.tif 000004
【図４】
0004425322.tif 000005
【図５】
0004425322.tif 000006
【図６】
0004425322.tif 000007
【図７】
0004425322.tif 000008
【図８】
0004425322.tif 000009
【図９】
0004425322.tif 000010
【図１０】
0004425322.tif 000011
【図１１】
0004425322.tif 000012